(57)【特許請求の範囲】
【請求項１】
関連付けられたウェッブページを表示するためのリンクアイコンが配置されたウェッブページを受信するウェッブページ受信部と、
前記受信したウェッブページを構成するタグ情報から前記ウェッブページに配置されたリンクアイコンの密集度を算出し、前記算出された密集度に対応させて、前記ウェッブページを前記リンクアイコンが複数配置される複数の分割エリアに分割する分割部と、
前記分割エリアのうち、前記ウェッブページの見出しを含む分割エリアを映像表示部にフォーカス表示する第１のフォーカス表示部と、
前記フォーカス表示された分割エリアが前記ウェッブページのどの位置にあるかを前記映像表示部にナビゲーション表示するナビゲーション表示部と、
前記分割エリアのフォーカス表示の遷移の指示信号またはフォーカス表示された分割エリア内に配置された前記リンクアイコンの選択信号を受信する受信部と、
前記受信部が、前記分割エリアのフォーカス表示の遷移の指示信号を受信した場合に、他の分割エリアを映像表示部にフォーカス表示する第２のフォーカス表示部と、
前記受信部が、前記リンクアイコンの選択信号を受信した場合に、前記フォーカス表示された分割エリア内のリンクアイコンを選択するリンク選択部と、
を備える映像表示装置。
【発明の詳細な説明】
【技術分野】
【０００１】
本発明の実施形態は、映像表示装置および映像表示方法に関する。
【背景技術】
【０００２】
現在、ネットワーク機能を備え、Ｗｅｂ（ウェブ）ブラウザを搭載した映像表示装置（テレビ、ＴＶ）が普及している。
ユーザはこれらの映像表示装置（テレビ、ＴＶ）を用い、ネットワークを介して例えば、ウェブページを受信し、映像表示部に表示してブラウジング等を楽しむことができるようになっている。
【０００３】
映像表示装置（テレビ、ＴＶ）においては、ユーザがテレビ番組の視聴操作を行う際には、リモートコントローラ（リモコン）が用いられることが一般的である。
また同様に、映像表示装置（テレビ、ＴＶ）においては、ウェブページ等のブラウジング操作にもリモコンが用いられることが一般的である。
しかし、ウェブページには多くのリンクが貼られており、時としてその数が１００を超える場合もある。このような場合にリモコンを用いると、例えば、ウェブページの上位のリンクからユーザが所望する下位のリンクに到達するのに１００回以上クリックしなければならないことがあった。このため、映像表示装置（テレビ、ＴＶ）においては、ウェブページのブラウジング等の操作における操作性の向上が望まれていた。
【０００４】
また、映像表示装置（テレビ、ＴＶ）においては、例えば表示画面が大きい程ユーザは映像表示部から離れて視聴を行うことが多いため、ウェブページの表示画面全体を一覧しにくいという問題があり、ウェブページのブラウジング等の操作における操作性の向上が望まれていた。
【０００５】
また、映像表示装置（テレビ、ＴＶ）においては、ウェブページの一画面がフレームに収まらない、あるいは例えばページスキップキーで画面をスクロールするものもあるが使いづらく、ウェブページのブラウジング等の操作における操作性の向上が望まれていた。
【先行技術文献】
【特許文献】
【０００６】
【特許文献１】特開２００９−２３７８６５号公報
【発明の概要】
【発明が解決しようとする課題】
【０００７】
映像表示装置（テレビ、ＴＶ）において、リモコンを用いて例えば、ウェブページ等のブラウジング操作を行う際の操作性を向上させることが望まれていた。
【課題を解決するための手段】
【０００８】
実施形態の映像表示装置は、ウェッブページを受信するウェッブページ受信部を備える。
また、前記受信したウェッブページを複数のエリアに分割し、分割されたエリアの１つを映像表示部にフォーカス表示するフォーカス表示部を備える。
また、前記フォーカス表示された分割エリアが前記ウェッブページのどの位置にあるかを前記映像表示部にナビゲーション表示するナビゲーション表示部を備える。
【図面の簡単な説明】
【０００９】
【図１】実施形態に係わる映像表示装置の構成を示すブロック図の一例。
【図２】実施形態に係わる映像表示装置の外観図。
【図３】実施形態に係わる映像表示装置において用いられるリモートコントローラの外観図。
【図４】実施形態に係わる映像表示装置に表示されるウェッブページにおける第１のエリア分割表示画面の一例を示す図。
【図５】実施形態に係わる映像表示装置に表示されるウェッブページにおける第２のエリア分割表示画面の例。
【図６】実施形態に係わる映像表示装置の動作を説明するフローチャートの一部。
【図７】実施形態に係わる映像表示装置の動作を説明するフローチャートの一部。
【発明を実施するための形態】
【００１０】
以下、図面を参照し、実施の形態を説明する。
図１は、実施形態に係わる映像表示装置（テレビ）の構成を示すブロック図の一例である。
符号１は映像表示装置（テレビ）である。符号２はアンテナ、符号３はチューナ、符号４は信号処理部、符号５は映像処理部、符号６は音声処理部、符号７は表示装置、符号８は表示画面（映像表示部）、符号９はスピーカ、符号１０はバス、符号１１は制御部、符号１２はＭＰＵ、符号１３はＲＡＭ、符号１４はＲＯＭ、符号１５はフラッシュメモリ、符号１６は記憶部、符号１７は内部記録装置、符号１８は外部インターフェース、符号２５は放送局である。
【００１１】
ここでは、制御部１１はＭＰＵ（１２）を備え、映像表示装置１を制御する。ＲＡＭ（１３）、ＲＯＭ（１４）、フラッシュメモリ１５は、例えば制御部１１で行われる処理に利用される。
【００１２】
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００１３】
信号処理部４で受信されたデジタル信号の映像コンテンツは信号処理が施され、音声処理部６および映像処理部５に送信される。
音声処理部６は信号処理が施された映像コンテンツを受信し、音声処理を施した信号をスピーカ９に送信する。
スピーカ９は音声処理が施された信号を受信し、音声を出力する。
また、映像処理部５は信号処理が施された映像コンテンツを受信し、映像処理を施した信号を表示装置７に送信する。
表示装置７は映像処理が施された信号を受信し、ＬＣＤパネル等で構成される表示画面（映像表示部）８に映像を表示する。
また、この実施の形態においては、映像表示装置（ＴＶ）１は内部記憶装置１７を備え、上記受信された映像コンテンツを記録することが可能である。
また、この実施の形態においては、映像表示装置１は上記のようにＵＳＢ接続やＬＡＮ接続される外部記憶機器１９を備えている。上記受信された映像コンテンツはこの外部記憶機器１９に記録することも可能である。
【００１４】
また映像表示装置１に対するユーザの操作は、例えばリモコン（リモートコントローラ）２１等の操作機器によって指示される。
これらの処理は、制御部１１に制御される。
また、上記のように、映像表示装置１は送受信部（ネットワークインターフェース）２２を介してサーバ２７に接続され、例えばウェッブページを受信してブラウジングすることが可能である。
【００１５】
図２は、実施形態に係わる映像表示装置の外観図である。
この実施の形態においては、上記のように、映像表示装置１は送受信部（ネットワークインターフェース）２２を介してウェッブページを受信し、ブラウジングすることが可能である。
【００１６】
ここでは、映像表示装置１の表示画面（映像表示部）８に上記受信されたウェッブページが表示されている。
ユーザは、リモートコントローラ２１を用い、ウェッブページのブラウジングを操作する。このとき、リモートコントロール信号がリモートコントローラ２１から出力され、映像表示装置１の操作受信部２０で受信される。
【００１７】
図３は、実施形態に係わる映像表示装置において用いられるリモートコントローラの外観図である。
ここでは、リモートコントローラ２１は電源ボタン３１を備えており、映像表示装置１の電源ＯＮ、電源ＯＦＦがユーザ操作され、制御される。
符号３２はテンキーで構成されるナンバーキーである。後述するように、例えば、ユーザによるウェブページのブラウジング操作に使用される。
符号３３は、例えば受信中の放送番組のチャンネルをアップダウン操作するアップダウン操作キーである。
符号３５ａは例えば映像表示部８に表示されているカーソルを左方向に１つシフトさせる左移動キーである。同様に、符号３５ｂはカーソルを右方向に１つシフトさせる右移動キー、符号３５ｃはカーソルを上方向に１つシフトさせる上移動キー、符号３５ｄはカーソルを下方向に１つシフトさせる下移動キーである。
【００１８】
また、  符号３４ａは例えば映像表示部８に表示されているカーソルを左方向にページスキップ移動させる左方向ページスキップキーである。同様に、符号３４ｂはカーソルを右方向にページスキップ移動させる右方向ページスキップキー、符号３４ｃはカーソルを上方向にページスキップ移動させる上方向ページスキップキー、符号３４ｄはカーソルを下方向にページスキップ移動させる下方向ページスキップキーである。
【００１９】
符号３６は、例えば映像表示部８にカーソル表示された動作をユーザが決定する決定キーである。
図４は、実施形態に係わる映像表示装置に表示されるウェッブページにおける第１のエリア分割表示画面の一例を示す図である。
ここで、ウェッブページにおけるエリア分割について説明する。
この実施の形態においては、ウェッブページにおけるエリア分割の一例として、例えば、ウェブコンテンツのタグ構造（ＨＴＭＬやＣＳＳ等）から、リンクの密集度を算出し、リンク数がなるべく均等になるよう複数のオブジェクトに分割することが可能である。
【００２０】
符号４０はウェッブページのナビゲーション表示部である。符号４０ａはフォーカス表示された分割エリアである。
また、符号４１はフォーカス表示されたウェッブページの分割されたエリアである。
符号４２、符号４３、符号４４、符号４５はグレイアウト表示されたウェッブページの分割されたエリアである。
この実施の形態においては、例えば映像表示装置１の制御部１１は受信したウェッブページをエリア分割（領域分割）する。ここでは、例えば、フォーカス表示されたウェッブページの分割されたエリア４１を映像表示部８の表示画面に収まるようになるべく大きく拡大表示する。
【００２１】
すなわち、フォーカス表示されたウェッブページの分割されたエリア４１を含むエリアの位置調整とズーム処理を行う。
このフォーカス表示されたウェッブページの分割されたエリア４１は、例えば、このウェッブページにおいて上位（上部）にある見出し領域が好ましい。
すなわち、この場合は、ウェッブページ上位（上部）の見出し領域にフォーカスが当てられ、ユーザにわかりやすいようにハイライト表示される。このため、上記フォーカスを当てた分割エリア以外の分割エリアは、それぞれグレーアウト表示される。
【００２２】
ここでは、グレーアウト表示とは、フォーカスを当てた分割エリアをユーザに対して目立たせるために、例えばウィンドウのボタンや選択部分をグレーに表示することである。
【００２３】
また、この実施の形態においては、ウェブページ（ブラウザ）全体の区切り形を示すナビゲートウィンド、すなわち、ウェッブページのナビゲーション表示部４０を、映像表示部８に表示されたウェッブページに合わせ、表示する。
【００２４】
このウェッブページのナビゲーション表示部４０には、上記フォーカス表示された分割エリア４０ａが表示される。このフォーカス表示された分割エリア４０ａは、例えば、上記フォーカス表示されたウェッブページの分割されたエリア４１のウェッブページにおける位置を示している。
【００２５】
ユーザは、このウェッブページのナビゲーション表示部４０とフォーカス表示された分割エリア４０ａの位置を見て、現在フォーカス表示されている分割エリア４１が、このウェッブページのどこに位置するかを確認することができる。
【００２６】
符号１０１はこのウェッブページの上の分割エリアへ遷移可能な表示、符号１０１ａはユーザ操作のガイド表示である。
ここではこのユーザ操作のガイド表示１０１ａは、ユーザが操作するリモートコントローラ２１と対応付けられている。
例えば、ユーザがナンバーキー３２の「１」を操作すると、上記フォーカス表示される分割エリアが遷移する。ここでは、このナンバーキー３２の「１」の操作に応じ、現在フォーカス表示されている分割エリア４１の上に位置するグレイアウト表示されたウェッブページの分割されたエリア４２がフォーカス表示され、現在フォーカス表示されている分割エリア４１はグレイアウト表示される。
【００２７】
このとき、この動作に連動し、ウェッブページのナビゲーション表示部４０におけるフォーカス表示された分割エリア４０ａの位置も上に遷移し、分割されたエリア４２の位置を示す。
【００２８】
同様に、符号１０２は左の分割エリアへ遷移可能な表示、符号１０２ａはユーザ操作のガイド表示である。
上記と同様に、例えば、ユーザがナンバーキー３２の「２」を操作すると、上記フォーカス表示される分割エリアが遷移する。そして、ナンバーキー３２の「２」の操作に応じ、現在フォーカス表示されている分割エリア４１の上に位置するグレイアウト表示されたウェッブページの分割されたエリア４２がフォーカス表示される。
【００２９】
同様に、ウェッブページのナビゲーション表示部４０におけるフォーカス表示された分割エリア４０ａの位置も左に遷移し、分割されたエリア４３の位置を示す。
また、符号１０３は下の分割エリアへ遷移可能な表示、符号１０３ａはユーザ操作のガイド表示、符号１０４は右の分割エリアへ遷移可能な表示、符号１０４ａはユーザ操作のガイド表示、符号１０５は右の分割エリアへ遷移可能な表示、符号１０５ａはユーザ操作のガイド表示である。
【００３０】
これらも同様に、ユーザがここで表示されているガイド表示（１０３ａ、１０４ａ、１０５ａ等）に対応するナンバーキー３２（「３」、「４」、「５」等）を操作することにより、フォーカス表示された分割エリアの遷移とナビゲーション表示部４０における表示位置の遷移が行われる。
【００３１】
また、この実施の形態においては、ページスキップキー（３４ａ、３４ｂ、３４ｃ、３４ｄ）で上記分割エリアの遷移を操作し、上下左右キーで細かなリンクの遷移を行うように構成することも可能である。
【００３２】
図５は、実施形態に係わる映像表示装置に表示されるウェッブページにおける第２のエリア分割表示画面の例である。
この実施の形態においては、上記映像表示装置に表示されるウェッブページにおける第１のエリア分割表示画面から任意のフォーカス表示されている分割エリアが選択されると、選択された分割エリアを、上記と同様に、例えば、ウェブコンテンツのタグ構造（ＨＴＭＬやＣＳＳ等）から、リンクの密集度を算出し、リンク数がなるべく均等になるよう複数のオブジェクトに分割する（２回目のエリア分割）。
【００３３】
このウェッブページにおける分割エリアの選択は、例えば、ユーザがリモートコントローラ２１の決定キー３６を操作することによって、フォーカス表示された分割エリアが選択される。
【００３４】
符号５１は選択されたウェッブページ分割エリアをさらに第２の分割をし、フォーカス表示されたウェッブページの第２の分割されたエリアである。
符号５２、符号５３、符号５４、符号５５はグレイアウト表示されたウェッブページの分割されたエリアである。
この実施の形態においては、フォーカス表示されたウェッブページの第２の分割エリア５１を映像表示部８の表示画面に収まるようになるべく大きく拡大表示する。
このフォーカス表示されたウェッブページの第２の分割エリア５１も、同様に、この第２の分割エリア５１において上位（上部）にある見出し領域であることが好ましい。
【００３５】
ここでも、フォーカス表示されたウェッブページの第２の分割エリア５１は、フォーカスが当てられ、ユーザにわかりやすいようにハイライト表示される。このため、フォーカスを当てた第２の分割エリア以外の第２の分割エリアは、それぞれグレーアウト表示される。
【００３６】
また、この実施の形態においても、ウェッブページの第２のナビゲーション表示部５０を、選択されたウェッブページ分割エリアに合わせ、表示する。
ここでも、同様に、ウェッブページの第２のナビゲーション表示部４０には、上記フォーカス表示された第２の分割エリア５０ａが表示される。このフォーカス表示された分割エリア５０ａも、選択されたウェッブページ分割エリアにおける位置を示している。
【００３７】
ここでもユーザは、ウェッブページの第２のナビゲーション表示部５０とフォーカス表示された第２の分割エリア５０ａの位置を見て、現在フォーカス表示されているフォーカス表示されたウェッブページの第２の分割エリア５１が、どこに位置するかを確認することができる。
【００３８】
符号２０１はこのウェッブページの下の第２の分割エリアへ遷移可能な表示、符号２０１ａはユーザ操作のガイド表示である。
ここでも、このユーザ操作のガイド表示２０１ａは、ユーザが操作するリモートコントローラ２１と対応付けられている。
例えば、ユーザがナンバーキー３２の「１」を操作すると、上記フォーカス表示される第２の第２の分割エリアが遷移する。ここでは、このナンバーキー３２の「１」の操作に応じ、現在フォーカス表示されている第２の分割エリア５１の下に位置するグレイアウト表示されたウェッブページの分割されたエリア５２がフォーカス表示され、現在フォーカス表示されている第２の分割エリア５１はグレイアウト表示される。
【００３９】
このとき、この動作に連動し、ウェッブページのナビゲーション表示部５０におけるフォーカス表示された第２の分割エリア５０ａの位置も下に遷移し、分割されたエリア５２の位置を示す。
【００４０】
同様に、符号２０２は左の第２の分割エリアへ遷移可能な表示、符号２０２ａはユーザ操作のガイド表示である。
上記と同様に、例えば、ユーザがナンバーキー３２の「２」を操作すると、上記フォーカス表示される第２の分割エリアが遷移する。そして、ナンバーキー３２の「２」の操作に応じ、現在フォーカス表示されている第２の分割エリア５１の下に位置するグレイアウト表示されたウェッブページの分割されたエリア５２がフォーカス表示される。
【００４１】
同様に、ウェッブページのナビゲーション表示部５０におけるフォーカス表示された第２の分割エリア５０ａの位置も下に遷移し、分割されたエリア５３の位置を示す。
【００４２】
また、符号２０３は下の第２の分割エリアへ遷移可能な表示、符号２０３ａはユーザ操作のガイド表示、符号２０４は右の第２の分割エリアへ遷移可能な表示、符号２０４ａはユーザ操作のガイド表示、符号２０５は右の第２の分割エリアへ遷移可能な表示、符号２０５ａはユーザ操作のガイド表示である。
【００４３】
これらも同様に、ユーザがここで表示されているガイド表示（２０３ａ、２０４ａ、２０５ａ等）に対応するナンバーキー３２（「３」、「４」、「５」等）を操作することにより、フォーカス表示された第２の分割エリアの遷移とナビゲーション表示部５０における表示位置の遷移が行われる。
【００４４】
符号６０は、リンク表示である。
ここでは、ユーザが上記リモートコントローラ２１の移動キー（左移動キー３５ａ、右移動キー３５ｂ、上移動キー３５ｃ、下移動キー３５ｄ）やページスキップキー（左方向ページスキップキー３４ａ、右方向ページスキップキー３４ｂ、上方向ページスキップキー３４ｃ、下方向ページスキップキー３４ｄ）を操作し、表示されているリンク表示を選択する。
【００４５】
映像表示装置１の制御部１１は、リンクを記録制御し、リンクが貼られた対象のウェブページを受信し、映像表示部８に表示する。
このように、この実施の形態においては、いわゆる入れ子構造で、ツリー状にエリアを管理している。
図６は、実施形態に係わる映像表示装置の動作を説明するフローチャートの一部である。
符号Ｓ１００はここでの開始ステップである。続いて、ステップＳ１０２へ進む。
ステップＳ１０１は、映像表示装置（ＴＶ）１の電源をＯＮにするステップである。続いて、ステップＳ１０２へ進む。
ステップＳ１０２は、インターネットにアクセスし、ウェブページを受信するステップである。続いて、ステップＳ１０３へ進む。
ステップＳ１０３は、受信したウェブページを上記のように複数のエリアに分割（第１の分割）するステップである。続いて、ステップＳ１０４へ進む。
ステップＳ１０４は、ウェブページ上位（ウェブページの上の方）で面積が大きい分割エリアのオブジェクト（例えばウェッブページの見出し領域）を抽出するステップである。続いて、ステップＳ１０５へ進む。
【００４６】
ステップＳ１０５は、抽出された分割エリアが映像表示装置（ＴＶ）１の映像表示部（表示画面）８に収まるように、また、抽出されない分割エリアはグレーアウトし、抽出された分割エリアをフォーカス表示（第１のフォーカス表示）するステップである。続いて、ステップＳ１０６へ進む。
【００４７】
ステップＳ１０６は、第１のフォーカス表示された分割エリアが上記ウェブページのどの位置にあるかを示す、ウェブページ全体とフォーカスされた分割エリアが表示されるナビゲーションを表示するステップである（第１のナビゲーション表示）。続いて、ステップＳ１０７へ進む。
【００４８】
ステップＳ１０７は、第１のフォーカス表示された分割エリアから他の分割エリアのフォーカス表示へ遷移可能なユーザ操作をガイド表示するステップである（第１のガイド表示）。続いて、ステップＳ１０８へ進む。
【００４９】
ステップＳ１０８は、他の分割エリアのフォーカス表示に遷移した場合は、上記と同様に、遷移先の分割エリアをナビゲーション表示とガイド表示を合わせ、フォーカス表示するステップである（第１のフォーカス表示）。続いて、図７に示すステップＳ１０９へ進む。
【００５０】
図７は、実施形態に係わる映像表示装置の動作を説明するフローチャートの一部である。
ステップＳ１０９は、フォーカス表示した分割エリアがユーザのリモコン操作で指定されるステップである。続いて、ステップＳ１１０へ進む。
ステップＳ１１０は、指定された分割エリアを複数の第２の分割エリアに分割（第２の分割）するステップである。続いて、ステップＳ１１１へ進む。
ステップＳ１１１は、指定された分割エリア上位で面積が大きい第２の分割エリアのオブジェクトを抽出するステップである。続いて、ステップＳ１１２へ進む。
ステップＳ１１２は、抽出された第２の分割エリアが映像表示装置（ＴＶ）１の表示画面８に収まるように、抽出されない第２の分割エリアはグレーアウトし、抽出された第２の分割エリアをフォーカス表示（第２のフォーカス表示）するステップである。続いて、ステップＳ１１３へ進む。
【００５１】
ステップＳ１１３は、第２のフォーカス表示された第２の分割エリアがウェブページの上記指定された分割エリアのどの位置にあるかを示す、指定された分割エリア全体とフォーカスされた第２の分割エリアが表示されるナビゲーションを表示するステップである（第２のナビゲーション表示）。続いて、ステップＳ１１４へ進む。
【００５２】
ステップＳ１１４は、第２のフォーカス表示された第２の分割エリアから他の第２の分割エリアのフォーカス表示へ遷移可能なユーザ操作をガイド表示するステップである（第２のガイド表示）。続いて、ステップＳ１１５へ進む。
【００５３】
ステップＳ１１５は、他の第２の分割エリアのフォーカス表示に遷移した場合は、上記と同様に、遷移先の第２の分割エリアを第２のナビゲーション表示と第２のガイド表示を合わせ、フォーカス表示するステップである（第２のフォーカス表示）。続いて、ステップＳ１１６へ進む。
【００５４】
ステップＳ１１６は、第２のフォーカス表示した第２の分割エリアがユーザのリモコン操作で指定されるステップである。続いて、ステップＳ１１７へ進む。
ステップＳ１１７は、指定された第２の分割エリアのオブジェクトに表示されたリンクをユーザがリモコン操作で指定するステップである。続いて、ステップＳ１１８へ進む。
【００５５】
ステップＳ１１８は、指定されたリンクを記録し、対象のウェブページを受信するステップである。続いて、ステップＳ１１９へ進む。
ステップＳ１１９は、終了ステップであり、ここでの処理は終了する。
上記のように構成することにより、この実施の形態においては、映像表示装置（テレビ）において、例えば、リモートコントローラを用いるウェブページ等のブラウジング操作の操作性を向上させることが可能になる。
【００５６】
また、上記実施の形態においては、フォーカス表示の一例として、フォーカスを当てる分割エリア以外の分割エリアをグレーアウト表示することにより、フォーカスを当てる分割エリアをハイライトするようにしたが、例えば、フォーカスを当てる分割エリアを３Ｄ（３次元）表示し、フォーカスを当てる分割エリア以外の分割エリアを２Ｄ（２次元）表示することにより、フォーカスを当てる分割エリアをハイライトするように構成することも可能である。
【００５７】
すなわち、この実施の形態においては、ウェブページ等のウェブコンテンツを複数にエリア分割（領域分割）し、分割エリアの一つにフォーカスを当て、拡大表示するようにしている。このように、構成することにより、ブラウザの一覧性を向上させることが可能になる。
【００５８】
また、上記分割したエリア（領域）別にナンバリングし、ユーザがリモートコントローラ２１のナンバーキー３２を操作することにより、例えば上記フォーカス表示する分割エリアを遷移可能にしている。このように構成することにより、ブラウザ操作を簡易にし、ユーザの利便性を向上させることが可能となる。
【００５９】
また、上記のようにフォーカス表示した分割エリア（分割領域）以外の分割エリアをグレーアウト表示している。このように、構成することにより、ユーザによるブラウザの可読性を向上させることが可能になる。
【００６０】
また、上記ブラウザ全体の区切り形を示すナビゲートウィンド（ウェッブページのナビゲーション表示部４０、５０）を表示している。このように、構成することにより、ブラウザの一覧性を向上させることが可能になる。
【００６１】
また、上記エリア分割されたウェブコンテンツの見出し領域をフォーカスしている。このように、構成することにより、ブラウザの操作性を向上させることが可能になる。
【００６２】
また、例えば、ウェブコンテンツのタグ構造（ＨＴＭＬやＣＳＳ等）から、リンクの密集度を算出し、リンク数がなるべく均等になるよう複数のオブジェクトに分割し、リンクや画像の位置や大きさを考慮してウェブコンテンツを分割するようにしている。このように、構成することにより、コンテンツの分割精度を向上させることが可能になる。
【００６３】
また、リモコンキーの物理レイアウトをウェブページのレイアウトに当てはめ、ナンバーキー３２等を用いて操作できるようにしている。このように、構成することにより、ブラウザの操作性を向上させることが可能になる。
【００６４】
また、例えば、上記フォーカスした分割エリアを３Ｄ表示することも可能である。このように、構成することにより、ブラウザの可読性を向上させることが可能になる。
【００６５】
上記のように構成することによって、この発明の実施の形態においては、映像表示装置（テレビ）でリモートコントローラを用いてウェブページ等のブラウジング操作を行う際の操作性を向上させることが可能になる。
【００６６】
なお、上記実施形態は、記述そのものに限定されるものではなく、実施段階では、その趣旨を逸脱しない範囲で、構成要素を種々変形して具体化することが可能である。
【符号の説明】
【００６７】
１…映像表示装置（テレビ、ＴＶ）、４０…ウェッブページのナビゲーション表示部、４０ａ…フォーカス表示された分割エリア、４１…フォーカス表示されたウェッブページの分割されたエリア、４２…グレイアウト表示されたウェッブページの分割されたエリア、４３…グレイアウト表示されたウェッブページの分割されたエリア、４４…グレイアウト表示されたウェッブページの分割されたエリア、４５…グレイアウト表示されたウェッブページの分割されたエリア、１０１…上の分割エリアへ遷移可能な表示、１０１ａ…ユーザ操作のガイド表示、１０２…左の分割エリアへ遷移可能な表示、１０２ａ…ユーザ操作のガイド表示、１０３…下の分割エリアへ遷移可能な表示、１０３ａ…ユーザ操作のガイド表示、１０４…右の分割エリアへ遷移可能な表示、１０４ａ…ユーザ操作のガイド表示、１０５…右の分割エリアへ遷移可能な表示、１０５ａ…ユーザ操作のガイド表示。
【図１】
0005148683.tif 000002
【図２】
0005148683.tif 000003
【図３】
0005148683.tif 000004
【図４】
0005148683.tif 000005
【図５】
0005148683.tif 000006
【図６】
0005148683.tif 000007
【図７】
0005148683.tif 000008